(57)【要約】【課題】現行放送への影響を抑制しつつ、伝送容量の拡大を図る。【解決手段】本発明に係る送信装置１０は、第１の方式により送信されるデータ信号から、第１の周波数帯域の信号である第１の放送信号を生成するＩＳＤＢ−Ｔデータキャリア信号生成部１１と、第２の方式により送信されるデータ信号から、第１の周波数帯域と、第１の周波数帯域の両側に隣接する調整帯域とを含む第２の周波数帯域の信号である第２の放送信号を生成する新規放送データキャリア信号生成部１２と、第２の放送信号の電力レベルが、第１の放送信号の電力レベルよりも低くなるように電力レベルを調整するレベル調整部１５と、電力レベルの調整後の第１の放送信号と第２の放送信号とを合成する合成部１６と、合成後の信号を用いてＯＦＤＭフレームを構成するＯＦＤＭフレーム構成部１７と、ＯＦＤＭフレームをＯＦＤＭ変調して送信するＯＦＤＭ変調部１８と、を備える。【選択図】図１
2020167677.tif 000002
【特許請求の範囲】
【請求項１】
第１の方式の信号と、第２の方式の信号とを多重して送信する送信装置であって、
前記第１の方式により送信されるデータ信号から、所定の周波数帯域内の第１の周波数帯域の信号である第１の放送信号を生成する第１の信号生成部と、
前記第２の方式により送信されるデータ信号から、前記所定の周波数帯域内の第２の周波数帯域の信号である第２の放送信号を生成する第２の信号生成部と、
前記第２の放送信号の電力レベルが、前記第１の放送信号の電力レベルよりも低くなるように、前記第１の放送信号および前記第２の放送信号の電力レベルを調整するレベル調整部と、
前記レベル調整部による電力レベルの調整後の第１の放送信号と第２の放送信号とを合成する合成部と、
前記合成部による合成後の信号を用いてＯＦＤＭフレームを構成するＯＦＤＭフレーム構成部と、
前記ＯＦＤＭフレーム構成部により構成されたＯＦＤＭフレームをＯＦＤＭ変調して送信するＯＦＤＭ変調部と、を備え、
前記第２の周波数帯域は、前記第１の周波数帯域と、前記第１の周波数帯域の両側に隣接する調整帯域とを含む、送信装置。
【請求項２】
請求項１に記載の送信装置において、
前記第１の周波数帯域は、複数のセグメントにより構成され、
前記調整帯域は、１つの前記セグメントよりも狭い帯域である、送信装置。
【請求項３】
請求項２に記載の送信装置において、
伝送路を推定するためのパイロット信号、および、前記第２の方式によるデータ信号の送信に関する制御信号を生成する第３の信号生成部をさらに備え、
前記ＯＦＤＭフレーム構成部は、前記第３の信号生成部により生成されたパイロット信号および制御信号を前記調整帯域に割り当てる、送信装置。
【請求項４】
請求項３に記載の送信装置において、
前記レベル調整部は、前記セグメントごとに、前記第１の放送信号と前記第２の放送信号との電力比を調整可能であり、
前記制御信号には、前記セグメントごとの前記第１の放送信号と前記第２の放送信号との電力比が含まれる、送信装置。
【請求項５】
請求項４に記載の送信装置において、
前記複数のセグメントは、固定受信用セグメントと、移動受信用セグメントとからなり、
前記レベル調整部は、前記移動受信用セグメントにおける第２の放送信号の電力レベルが、前記固定受信用セグメントにおける第２の放送信号の電力レベルよりも大きくなるように、前記第２の放送信号の電力レベルを調整する、送信装置。
【請求項６】
請求項１から３のいずれか一項に記載の送信装置から送信された信号を受信する受信装置であって、
前記調整帯域における第２の放送信号の電力レベルと、前記第１の周波数帯域における受信信号の電力レベルとに基づき、前記第１の周波数帯域における前記第１の放送信号と前記第２の放送信号との電力比を取得し、該取得した電力比を用いて受信信号から前記第２の方式により送信されたデータ信号を取得する、受信装置。
【請求項７】
請求項１から５のいずれか一項に記載の送信装置から送信された信号を受信する受信装置であって、
前記調整帯域には、伝送路を推定するためのパイロット信号、および、前記第２の方式によるデータ信号の送信に関する制御信号が割り当てられ、
前記調整帯域に割り当てられた制御信号を取得し、該取得した制御信号を用いて受信信号から前記第２の方式により送信されたデータ信号を取得する、受信装置。
【請求項８】
請求項６または７に記載の受信装置において、
２つの異なる信号が重畳された１つの信号について一方を干渉成分とみなして除去する復調方式、または、２つの信号成分を元に参照信号を複製して復調する復調方式により、前記受信信号から前記第１の方式により送信されたデータ信号および前記第２の方式により送信されたデータ信号を取得する、受信装置。
【発明の詳細な説明】
【技術分野】
【０００１】
本発明は、送信装置および受信装置に関する。
【背景技術】
【０００２】
我が国の現行の地上デジタル放送では、ＩＳＤＢ−Ｔ（Integrated Services Digital Broadcasting-Terrestrial）方式が用いられている。現行方式の放送（以下、「現行放送」と称する。）から次世代方式の放送（以下、「次世代放送」と称する。）へ段階的に移行させる際には、両方式の放送を併存させる必要がある。
【０００３】
特許文献１には、現行放送の放送信号と次世代放送の放送信号とを多重して送信する技術が開示されている。特許文献１に開示されている技術では、送信装置は、現行放送の放送信号と次世代放送の放送信号とを同一の周波数および時間帯において送信する。ここで、送信装置は、次世代放送の放送信号の電力を、現行放送の放送信号の電力と比べて、ノイズとみなせる程度に低くする。受信装置は、送信装置から送信された信号を受信し復調などの処理を行うことで、受信信号から現行放送の放送信号を取得する。ここで、受信装置は、次世代放送の放送信号の電力は現行放送の放送信号の電力と比べて、ノイズとみなせる程度に低いので、受信信号には現行放送の放送信号のみが含まれるものとして処理する。そして、受信装置は、取得した現行放送の放送信号を受信信号から相殺して復調などの処理を行うことで、次世代放送の放送信号を取得する。
【先行技術文献】
【特許文献】
【０００４】
【特許文献１】特開２０１８−６７８２５号公報
【発明の概要】
【発明が解決しようとする課題】
【０００５】
次世代放送では、更なる大容量コンテンツのサービスの提供などのために、伝送容量の拡大が求められている。ここで、現行放送と次世代放送との併存を考慮すると、現行放送への影響を抑制しつつ、次世代放送における伝送容量の拡大を図ることが求められる。
【０００６】
本発明の目的は、上述した課題を解決し、現行放送への影響を抑制しつつ、伝送容量の拡大を図ることができる送信装置および受信装置を提供することにある。
【課題を解決するための手段】
【０００７】
上記課題を解決するため、本発明に係る送信装置は、第１の方式の信号と、第２の方式の信号とを多重して送信する送信装置であって、前記第１の方式により送信されるデータ信号から、所定の周波数帯域内の第１の周波数帯域の信号である第１の放送信号を生成する第１の信号生成部と、前記第２の方式により送信されるデータ信号から、前記所定の周波数帯域内の第２の周波数帯域の信号である第２の放送信号を生成する第２の信号生成部と、前記第２の放送信号の電力レベルが、前記第１の放送信号の電力レベルよりも低くなるように、前記第１の放送信号および前記第２の放送信号の電力レベルを調整するレベル調整部と、前記レベル調整部による電力レベルの調整後の第１の放送信号と第２の放送信号とを合成する合成部と、前記合成部による合成後の信号を用いてＯＦＤＭフレームを構成するＯＦＤＭフレーム構成部と、前記ＯＦＤＭフレーム構成部により構成されたＯＦＤＭフレームをＯＦＤＭ変調して送信するＯＦＤＭ変調部と、を備え、前記第２の周波数帯域は、前記第１の周波数帯域と、前記第１の周波数帯域の両側に隣接する調整帯域とを含む。
【０００８】
また、本発明に係る送信装置において、前記第１の周波数帯域は、複数のセグメントにより構成され、前記調整帯域は、１つの前記セグメントよりも狭い帯域であることが好ましい。
【０００９】
また、本発明に係る送信装置において、伝送路を推定するためのパイロット信号、および、前記第２の方式によるデータ信号の送信に関する制御信号を生成する第３の信号生成部をさらに備え、前記ＯＦＤＭフレーム構成部は、前記第３の信号生成部により生成されたパイロット信号および制御信号を前記調整帯域に割り当てることが好ましい。
【００１０】
また、本発明に係る送信装置において、前記レベル調整部は、前記セグメントごとに、前記第１の放送信号と前記第２の放送信号との電力比を調整可能であり、前記制御信号には、前記セグメントごとの前記第１の放送信号と前記第２の放送信号との電力比が含まれることが好ましい。
【００１１】
また、本発明に係る送信装置において、前記複数のセグメントは、固定受信用セグメントと、移動受信用セグメントとからなり、前記レベル調整部は、前記移動受信用セグメントにおける第２の放送信号の電力レベルが、前記固定受信用セグメントにおける第２の放送信号の電力レベルよりも大きくなるように、前記第２の放送信号の電力レベルを調整することが好ましい。
【００１２】
また、本発明に係る送信装置において、前記レベル調整部は、前記調整帯域における第２の放送信号の電力レベルが、前記第１の周波数帯域における第２の放送信号の電力レベルよりも大きくなるように、前記第２の放送信号の電力レベルを調整することが好ましい。
【００１３】
また、上記課題を解決するため、本発明に係る受信装置は、上述した送信装置から送信された信号を受信する受信装置であって、前記調整帯域における第２の放送信号の電力レベルと、前記第１の周波数帯域における受信信号の電力レベルとに基づき、前記第１の周波数帯域における前記第１の放送信号と前記第２の放送信号との電力比を取得し、該取得した電力比を用いて受信信号から前記第２の方式により送信されたデータ信号を取得する。
【００１４】
また、上記課題を解決するため、本発明に係る受信装置は、上述した送信装置から送信された信号を受信する受信装置であって、前記調整帯域には、伝送路を推定するためのパイロット信号、および、前記第２の方式によるデータ信号の送信に関する制御信号が割り当てられ、前記調整帯域に割り当てられた制御信号を取得し、該取得した制御信号を用いて受信信号から前記第２の方式により送信されたデータ信号を取得する。
【００１５】
また、本発明に係る受信装置において、２つの異なる信号が重畳された１つの信号について一方を干渉成分とみなして除去する復調方式、または、２つの信号成分を元に参照信号を複製して復調する復調方式により、前記受信信号から前記第１の方式により送信されたデータ信号および前記第２の方式により送信されたデータ信号を取得することが好ましい。
【発明の効果】
【００１６】
本発明に係る送信装置および受信装置によれば、現行放送への影響を抑制しつつ、伝送容量の拡大を図ることができる。
【図面の簡単な説明】
【００１７】
【図１】本発明の第１の実施形態に係る送信装置の構成例を示すブロック図である。
【図２】図１に示すＩＳＤＢ−Ｔデータキャリア信号生成部および新規放送データキャリア信号生成部が生成する信号の一例を示す図である。
【図３】図１に示すＩＳＤＢ−Ｔデータキャリア信号生成部の構成例を示す図である。
【図４】図１に示すＩＳＤＢ−Ｔ付加信号生成部の構成例を示す図である。
【図５】図１に示すレベル調整部によるレベル調整後の信号を示す図である。
【図６】図１に示す合成部による合成後の信号を示す図である。
【図７】本発明の第１の実施形態に係る受信装置の構成例を示す図である。
【図８】本発明の第１の実施形態に係る受信装置の他の構成例を示す図である。
【図９】図８に示す参照信号生成部の構成例を示す図である。
【図１０】図８に示すキャリア復調部の構成例を示す図である。
【図１１】本発明の第２の実施形態に係る送信装置の構成例を示す図である。
【図１２】図１１に示す電力レベル調整部による電力レベルの調整後の第２の放送信号の一例を示す図である。
【図１３】図１１に示す合成部による合成後の信号を示す図である。
【発明を実施するための形態】
【００１８】
以下、本発明の実施の形態について図面を参照して説明する。
【００１９】
（第１の実施形態）
図１は、本発明の第１の実施形態に係る送信装置１０の構成例を示す図である。本実施形態に係る送信装置１０は、異なる放送方式の信号をＬＤＭ（Layered Division Multiplexing）で多重して送信するものである。ＬＤＭとは、電力に差をつけて２つの階層を多重する方式である。以下では、送信装置１０は、現行の地上デジタル放送（現行放送）の方式であるＩＳＤＢ−Ｔ方式（第１の方式）の信号と、新規放送で用いられる次世代方式（第２の方式）の信号とをＬＤＭで多重して送信する例を用いて説明する。なお、現行放送への影響を抑えるために、次世代方式の放送（次世代放送）においても、ＦＦＴ（Fast Fourier Transform）サイズ、ＧＩ（Guard Interval）比およびクロックなどは、現行放送と同じであるとする。
【００２０】
図１に示す送信装置１０は、ＩＳＤＢ−Ｔデータキャリア信号生成部１１と、新規放送データキャリア信号生成部１２と、ＩＳＤＢ−Ｔ付加信号生成部１３と、新規放送付加信号生成部１４と、レベル調整部１５と、合成部１６と、ＯＦＤＭフレーム構成部１７と、ＯＦＤＭ変調部１８とを備える。ＩＳＤＢ−Ｔデータキャリア信号生成部１１は、第１の信号生成部の一例である。新規放送データキャリア信号生成部１２は、第２の信号生成部の一例である。新規放送付加信号生成部１４は、第３の信号生成部の一例である。
【００２１】
ＩＳＤＢ−Ｔデータキャリア信号生成部１１は、ＩＳＤＢ−Ｔ方式により送信されるコンテンツ（ＩＳＤＢ−Ｔコンテンツ）のデータ信号から、１チャンネルに割り当てられた所定の周波数帯域内のある周波数帯域（以下、「第１の周波数帯域」と称する。）のデータキャリア信号（以下、「第１の放送信号」と称する。）を生成し、レベル調整部１５に出力する。
【００２２】
図２は、ＩＳＤＢ−Ｔデータキャリア信号生成部１１および新規放送データキャリア信号生成部１２が生成する信号の一例を示す図である。なお、以下の図では、白抜きの矩形で示した信号が、ＩＳＤＢ−Ｔデータキャリア信号生成部１１が生成する信号（第１の放送信号）であり、右斜め上がりのハッチングを付した矩形で示した信号が、新規放送データキャリア信号生成部１２が生成する信号（後述する「第２の放送信号」）であるものとする。また、矩形の高さは信号の電力レベルを示すものとする。
【００２３】
ＩＳＤＢ−Ｔでは、１チャンネル分の周波数帯域として約６ＭＨｚが割り当てられ、その１チャンネル分の周波数帯域が１４のセグメントに分割される。ＩＳＤＢ−Ｔデータキャリア信号生成部１１は、図２に示すように、１３セグメント分の周波数帯域（約５．５７ＭＨｚ）の信号を第１の放送信号として生成する。
【００２４】
ＩＳＤＢ−Ｔでは、階層伝送が利用されており、同一チャンネルの中で、画質と雑音耐性の異なる複数のサービスが提供されている。具体的には、伝送帯域の中央にある１セグメントを移動受信端末（モバイル端末）向けの移動受信用セグメントとし、移動受信用セグメントを用いて、強い雑音耐性の映像を送信するサービス（いわゆる、ワンセグ放送）が提供される。また、他の１２セグメントを固定受信端末（家庭用テレビなど）向けの固定受信用セグメントとし、固定受信用セグメントを用いて高画質な映像を送信するサービス（ハイビジョン放送）が提供される。
【００２５】
図３は、ＩＳＤＢ−Ｔデータキャリア信号生成部１１の構成例を示す図である。
【００２６】
図３に示すＩＳＤＢ−Ｔデータキャリア信号生成部１１は、誤り訂正符号化部１１１ａ，１１１ｂ，・・・と、キャリア変調部１１２ａ，１１２ｂ，・・・と、帯域合成インターリーブ部１１３とを備える。誤り訂正符号化部１１１ａおよびキャリア変調部１１２ａは、階層伝送における、例えば、移動受信端末向けのサービスの階層（以下、「Ａ階層」と称する。）に対応して設けられる。誤り訂正符号化部１１１ｂおよびキャリア変調部１１２ｂは、階層伝送における、例えば、固定受信端末向けのサービスの階層（以下、「Ｂ階層」と称する。）に対応して設けられる。このように、誤り訂正符号化部１１１およびキャリア変調部１１２は、階層伝送の階層ごとに設けられる。
【００２７】
誤り訂正符号化部１１１ａは、Ａ階層のデータ信号が入力され、入力されたデータ信号に対して、畳み込み符号化などの所定の誤り訂正符号化を行い、誤り訂正符号化後の信号をキャリア変調部１１２ａに出力する。
【００２８】
キャリア変調部１１２ａは、誤り訂正符号化部１１１ａから出力された信号に対して、ＱＰＳＫ（Quadrature Phase Shift Keying），１６ＱＡＭ（Quadrature Amplitude Modulation），６４ＱＡＭなどの所定のキャリア変調を行い、キャリア変調後の信号を帯域合成インターリーブ部１１３に出力する。
【００２９】
帯域合成インターリーブ部１１３は、キャリア変調部１１２ａ，１１２ｂ，・・・から出力された各階層の信号を合成して、第１の周波数帯域のデータキャリア信号（第１の放送信号）としてレベル調整部１５に出力する。現行放送では、帯域合成インターリーブ部１１３は、中央の１セグメントに移動受信用のデータを配置し、残りの１２セグメントに固定受信用のデータを配置する。
【００３０】
図１を再び参照すると、新規放送データキャリア信号生成部１２は、次世代方式により送信されるコンテンツ（新規放送コンテンツ）のデータ信号から、ＩＳＤＢ−Ｔ方式と同じ１チャンネルに割り当てられた所定の周波数帯域内のある周波数帯域（以下、「第２の周波数帯域」と称する。）のデータキャリア信号（以下、「第２の放送信号」と称する。）を生成し、レベル調整部１５に出力する。
【００３１】
具体的には、新規放送データキャリア信号生成部１２は、図２に示すように、第１の周波数帯域（５．５７ＭＨｚ）と、第１の周波数帯域の両側に隣接する調整帯域とからなる第２の周波数帯域の信号を生成する。このように、第２の周波数帯域は、第１の周波数帯域を含み、かつ、第１の周波数帯域よりも広い帯域である。第２の周波数帯域は、例えば、５．８３ＭＨｚの帯域である。第１の周波数帯域の両側に設けられた調整帯域を合わせた帯域は、１セグメントよりも狭い帯域である。
【００３２】
新規放送データキャリア信号生成部１２の構成は、次世代方式で用いられる誤り訂正符号化、キャリア変調などが適用される点以外は、ＩＳＤＢ−Ｔデータキャリア信号生成部１１の構成と同様であるため説明を省略する。
【００３３】
なお、ＩＳＤＢ−Ｔデータキャリア信号生成部１１は、第１の周波数帯域の両側の、調整帯域に対応する領域に、Ｎｕｌｌ信号を配置してもよい。こうすることで、第１の放送信号の周波数帯域と第２の放送信号の周波数帯域とを合わせることができる。
【００３４】
図１を再び参照すると、ＩＳＤＢ−Ｔ付加信号生成部１３は、ＩＳＤＢ−Ｔ方式のデータキャリア信号（第１の放送信号）に付加する付加信号を生成し、ＯＦＤＭフレーム構成部１７に出力する。付加信号には、伝送路を推定するためのパイロット信号、ＩＳＤＢ−Ｔ方式によるデータ信号の送信に関するＴＭＣＣ（Transmission and Multiplexing Configuration and Control）信号（制御信号）、緊急地震速報などの付加的な情報に関するＡＣ（Auxiliary Channel）信号などが含まれる。ＩＳＤＢ−Ｔ付加信号生成部１３が生成するＴＭＣＣ信号（制御信号）には、例えば、第１の放送信号の誤り訂正符号化方式を示す情報、第１の放送信号のキャリア変調方式を示す情報などが含まれる。
【００３５】
図４は、ＩＳＤＢ−Ｔ付加信号生成部１３の構成例を示す図である。
【００３６】
図４に示すＩＳＤＢ−Ｔ付加信号生成部１３は、ＴＭＣＣ情報ビット生成部１３１と、同期ビット生成部１３２と、ＴＭＣＣ信号生成部１３３と、ＡＣ信号生成部１３４と、パイロット信号生成部１３５とを備える。
【００３７】
ＴＭＣＣ情報ビット生成部１３１は、ＩＳＤＢ−Ｔ方式によるデータ信号の送信に関するＴＭＣＣ情報が入力される。ＴＭＣＣ情報ビット生成部１３１は、入力されたＴＭＣＣ情報に応じた情報ビットを生成し、ＴＭＣＣ信号生成部１３３に出力する。
【００３８】
同期ビット生成部１３２は、ＴＭＣＣ信号の一部となる同期ビットを生成し、ＴＭＣＣ信号生成部１３３に出力する。
【００３９】
ＴＭＣＣ信号生成部１３３は、ＴＭＣＣ情報ビット生成部１３１から出力された情報ビット、および、同期ビット生成部１３２から出力された同期ビットなどを含むＴＭＣＣ信号（制御信号）を生成し、ＯＦＤＭフレーム構成部１７に出力する。
【００４０】
ＡＣ信号生成部１３４は、緊急地震速報などの付加的な情報に関するＡＣ情報が入力される。ＡＣ信号生成部１３４は、入力されたＡＣ情報に基づきＡＣ信号を生成し、ＯＦＤＭフレーム構成部１７に出力する。
【００４１】
パイロット信号生成部１３５は、ＴＭＣＣ情報が入力される。パイロット信号生成部１３５は、入力されたＴＭＣＣ情報に応じたパイロット信号（例えば、ＳＰ（Scattered Pilot）信号）を生成し、ＯＦＤＭフレーム構成部１７に出力する。
【００４２】
図１を再び参照すると、新規放送付加信号生成部１４は、次世代方式のデータキャリア信号（第２の放送信号）に付加する付加信号を生成し、ＯＦＤＭフレーム構成部１７に出力する。付加信号には、伝送路を推定するためのパイロット信号、次世代方式によるデータ信号の送信に関するＴＭＣＣ信号（制御信号）、緊急地震速報などの付加的な情報に関するＡＣ信号などが含まれる。新規放送付加信号生成部１４が生成するＴＭＣＣ信号（制御信号）には、例えば、第２の放送信号の誤り訂正符号化方式を示す情報、第２の放送信号のキャリア変調方式を示す情報（変調情報）、ＦＥＣ（Forward Error Correction）ポインタ、および、第１の放送信号と第２の放送信号との電力比を示す情報などが含まれる。なお、詳細は後述するが、第１の放送信号と第２の放送信号との電力比は、受信側において推定することが可能である。そのため、第１の放送信号と第２の放送信号との電力比を示す情報は、制御信号に含まれなくてもよい。
【００４３】
新規放送付加信号生成部１４の構成は、ＩＳＤＢ−Ｔ付加信号生成部１３の構成と同様であるため説明を省略する。ただし、ＡＣ信号を調整帯域で伝送しない場合、ＡＣ信号生成部１３４は設けなくてよい。次世代方式に対応するために、ＩＳＤＢ−Ｔ付加信号生成部１３の構成に適宜変更が加えられてもよい。
【００４４】
レベル調整部１５は、ＩＳＤＢ−Ｔデータキャリア信号生成部１１により生成されたデータキャリア信号（第１の放送信号）および新規放送データキャリア信号生成部１２により生成されたデータキャリア信号（第２の放送信号）の電力レベルを調整する。具体的には、レベル調整部１５は、図５に示すように、第２の放送信号の電力レベルが、第１の放送信号の電力レベルよりも低くなるように、第１の放送信号および第２の放送信号の電力レベルを調整する。
【００４５】
例えば、レベル調整部１５は、第１の放送信号の受信品質に与える影響が一定以下となるように、第２の放送信号の電力レベルを調整する。こうすることで、受信側では、第１の放送信号に対して、第２の放送信号を雑音とみなすことができる。
【００４６】
本実施形態においては、図５に示すように、レベル調整部１５は、各セグメントにおける第１の放送信号の電力レベルを一定とする。また、レベル調整部１５は、各セグメントおよび調整帯域における第２の放送信号の電力レベルを一定とする。
【００４７】
図１を再び参照すると、レベル調整部１５は、レベル調整後のＩＳＤＢ−Ｔ方式におけるデータキャリア信号および次世代方式におけるデータキャリア信号を合成部１６に出力する。
【００４８】
合成部１６は、レベル調整部１５から出力されたレベル調整後のＩＳＤＢ−Ｔ方式におけるデータキャリア信号（第１の放送信号）と、次世代方式におけるデータキャリア信号（第２の放送信号）とを合成する。合成部１６による合成後の信号は、図６に示すように、１チャンネル分の周波数帯域内で、ＩＳＤＢ−Ｔ方式におけるデータキャリア信号が第１の周波数帯域に配置される。また、ＩＳＤＢ−Ｔ方式におけるデータキャリア信号よりも電力レベルの低い次世代方式におけるデータキャリア信号が、第１の周波数帯域よりも調整帯域分だけ広い第２の周波数帯域に配置される。
【００４９】
図１を再び参照すると、合成部１６は、ＩＳＤＢ−Ｔ方式におけるデータキャリア信号と、次世代方式におけるデータキャリア信号との合成後のデータキャリア信号をＯＦＤＭフレーム構成部１７に出力する。
【００５０】
ＯＦＤＭフレーム構成部１７は、合成部１６から出力されたデータキャリア信号を用いてＯＦＤＭフレームを構成する。具体的には、ＯＦＤＭフレーム構成部１７は、合成部１６から出力されたデータキャリア信号に、ＩＳＤＢ−Ｔ付加信号生成部１３から出力された付加信号と、新規放送付加信号生成部１４から出力された付加信号とを付加して、ＯＦＤＭフレームを構成する。
【００５１】
ここで、ＯＦＤＭフレーム構成部１７は、ＩＳＤＢ−Ｔ付加信号生成部１３から出力された付加信号を、ＩＳＤＢ−Ｔ方式において予め定められた配置に従い割り当てる。すなわち、ＯＦＤＭフレーム構成部１７は、予めパイロット信号を配置すると定められている領域（パイロット部）にＩＳＤＢ−Ｔ付加信号生成部１３から出力されたパイロット信号を割り当て、予めＴＭＣＣ信号を配置すると定められている領域（ＴＭＣＣ部）にＩＳＤＢ−Ｔ付加信号生成部１３から出力されたＴＭＣＣ信号を割り当て、予めＡＣ信号を配置すると定められている領域（ＡＣ部）にＩＳＤＢ−Ｔ付加信号生成部１３から出力されたＡＣ信号を割り当てる。
【００５２】
また、ＯＦＤＭフレーム構成部１７は、第１の周波数帯帯域から拡張された第２の周波数帯域のデータキャリアを含めてフレーム化する機能を有する。したがって、ＯＦＤＭフレーム構成部１７は、調整帯域に配置された次世代方式のデータキャリア信号を含めてＯＦＤＭフレームを構成することができる。また、ＯＦＤＭフレーム構成部１７は、新規放送付加信号生成部１４から出力された付加信号を調整帯域に割り当てる。
【００５３】
したがって、第１の周波数帯域には、ＩＳＤＢ−Ｔ方式におけるデータキャリア信号および付加信号と、次世代方式におけるデータキャリア信号とが割り当てられる。また、調整帯域には、次世代方式におけるデータキャリア信号および付加信号が割り当てられる。このように本実施形態では、第１の周波数帯域の外側の調整帯域においても、次世代方式のデータ信号が送信される。そのため、現行放送への影響を抑制しつつ、伝送容量の拡大を図ることができる。
【００５４】
なお、次世代方式におけるＴＭＣＣ信号を、ＩＳＤＢ−Ｔ方式のＴＭＣＣ部に配置することも考えられる。しかしながら、この場合、現行のＩＳＤＢ−Ｔ方式のＴＭＣＣ部を変更する必要があり、現行放送への影響が生じてしまうので好ましくない。また、この場合、次世代方式のデータキャリア信号に対する復調などを行うために、ＩＳＤＢ−Ｔ方式の信号を一度復調して、次世代方式におけるＴＭＣＣ信号を取得する必要が生じ、処理負荷の増大を招いてしまう。
【００５５】
ＯＦＤＭフレーム構成部１７は、構成したＯＦＤＭフレームをＯＦＤＭ変調部１８に出力する。
【００５６】
ＯＦＤＭ変調部１８は、ＯＦＤＭフレーム構成部１７から出力されたＯＦＤＭフレームをＯＦＤＭ変調して送信する。
【００５７】
次に、本実施形態に係る受信装置の構成について説明する。本実施形態に係る受信装置は、２つの異なる信号が重畳された１つの信号について一方を干渉成分とみなして除去する復調方式、または、２つの信号成分を元に参照信号を複製して復調する復調方式により、ＬＤＭで多重された信号を分離して取得（復調）することが可能である。２つの異なる信号が重畳された１つの信号について一方を干渉成分とみなして除去する復調方式としては、例えば、逐次干渉除去（ＳＩＣ：Successive Interference Canceller）方式がある。また、２つの信号成分を元に参照信号を複製して復調する復調方式としては、例えば、統合復調方式、最尤復号方式（ＭＬＤ：Maximum likelihood decoding）がある。逐次干渉除去方式とは、ＬＤＭにより多重された信号のうち、電力の高い階層の信号から順次に復調し、復調した信号を受信信号から除去して、他の階層の信号を復調する方式である。また、統合復調方式とは、ＬＤＭにより多重された複数の信号を一括して復調する方式である。また、最尤復号方式とは、取り得る信号点と受信信号の信号点との尤度を算出し、尤度の大きい（確率の大きい）信号点を選択していくことにより、信号を復調する方式である。以下では、逐次干渉除去方式を用いた受信装置の構成と、統合復調方式を用いた受信装置の構成とを説明する。
【００５８】
図７は、本発明の第１の実施形態に係る受信装置２０の構成例を示す図である。図７に示す受信装置２０は、逐次干渉除去方式を用いてＬＤＭにより多重された信号を復調するものである。
【００５９】
図７に示す受信装置２０は、ＯＦＤＭ復調部２１と、ＩＳＤＢ−Ｔ付加信号復調部２２と、伝搬路推定部２３と、等化部２４と、新規放送付加信号復調部２５と、レベル調整部２６と、ＩＳＤＢ−Ｔキャリア復調部２７と、ＩＳＤＢ−Ｔ誤り訂正復号部２８と、ＩＳＤＢ−Ｔ再変調部２９と、ＩＳＤＢ−Ｔ除去部３１と、レベル調整部３２と、新規放送キャリア復調部３３と、新規放送誤り訂正復号部３４とを備える。
【００６０】
ＯＦＤＭ復調部２１は、送信装置１０から受信した受信信号が入力される。ＯＦＤＭ復調部２１は、入力された受信信号にＯＦＤＭ復調を施し、ＯＦＤＭ復調後の信号を、ＩＳＤＢ−Ｔ付加信号復調部２２、伝搬路推定部２３、等化部２４および新規放送付加信号復調部２５に出力する。
【００６１】
ＩＳＤＢ−Ｔ付加信号復調部２２は、ＯＦＤＭ復調部２１から出力された信号から、所定のキャリアに配置されている付加信号の復調を行い、ＩＳＤＢ−Ｔ方式における付加信号を取得する。ＩＳＤＢ−Ｔ付加信号復調部２２は、取得した付加信号を各ブロックに出力する。例えば、ＩＳＤＢ−Ｔ付加信号復調部２２は、ＴＭＣＣ信号に含まれる、第１の放送信号のキャリア変調方式を示す情報を、ＩＳＤＢ−Ｔキャリア復調部２７に出力する。また、ＩＳＤＢ−Ｔ付加信号復調部２２は、ＴＭＣＣ信号に含まれる、第１の放送信号の誤り訂正符号化方式を示す情報を、ＩＳＤＢ−Ｔ誤り訂正復号部２８に出力する。
【００６２】
伝搬路推定部２３は、ＯＦＤＭ復調部２１から出力された信号に含まれるパイロット信号に基づき伝搬路応答を推定し、推定結果を等化部２４に出力する。
【００６３】
等化部２４は、伝搬路応答の推定結果を用いて、ＯＦＤＭ復調部２１から出力された信号の伝搬路歪を補正する等化処理を行い、等化処理後の信号をレベル調整部２６に出力する。
【００６４】
新規放送付加信号復調部２５は、ＯＦＤＭ復調部２１から出力された信号から、調整帯域に配置されている付加信号の復調を行い、次世代方式における付加信号を取得する。新規放送付加信号復調部２５は、取得した付加信号を各ブロックに出力する。例えば、新規放送付加信号復調部２５は、ＴＭＣＣ信号に含まれる、第２の放送信号のキャリア変調方式を示す情報（変調情報）を、新規放送キャリア復調部３３に出力する。また、新規放送付加信号復調部２５は、ＴＭＣＣ信号に含まれる、第２の放送信号の誤り訂正符号化方式を示す情報を、新規放送誤り訂正復号部３４に出力する。また、新規放送付加信号復調部２５は、第１の放送信号と第２の放送信号との電力比を示す情報を、レベル調整部２６およびレベル調整部３２に出力する。
【００６５】
なお、上述したように、次世代方式におけるＴＭＣＣ信号には、第１の放送信号と第２の放送信号との電力比を示す情報が含まれていなくてもよい。この場合、新規放送付加信号復調部２５は、第１の周波数帯域における受信信号の電力と、調整帯域における第２の放送信号の電力とから、第１の放送信号と第２の放送信号との電力比を推定してもよい。
【００６６】
本実施形態においては、第１の周波数帯域における受信信号の電力レベルは一定である。また、第１の周波数帯域および調整帯域における第２の放送信号の電力レベルは一定である。仮に、電力比がＸｄＢであった場合、第１の放送信号の電力Ｐ１、第２の放送信号の電力Ｐ２、２つの信号を合成した信号の電力Ｐは以下の式で表される。
Ｐ１＝１０＾（Ｘ／１０）×Ｐ２
Ｐ＝Ｐ１＋Ｐ２＝１０＾（Ｘ／１０）×Ｐ２＋Ｐ２＝（１０＾（Ｘ／１０）＋１）Ｐ２
【００６７】
第１の周波数帯域における受信信号の平均受信電力をＰ’、調整帯域における第２の放送信号の平均受信電力をＰ２’と定義した場合、送信側と同様に電力比Ｘに基づいて、Ｐ’とＰ２’とには電力差が付いている。Ｐ’とＰ２’との電力比をＸ’とすると、Ｘ’は以下の式で表すことができる。
Ｘ’＝Ｐ’／Ｐ２’＝（１０＾（Ｘ／１０）＋１）
【００６８】
上式を解くことで、送信側で設定したＸを推定することができるため、受信装置２０は、推定したＸに基づいて、放送信号の復調を行うことができる。
【００６９】
レベル調整部２６は、新規放送付加信号復調部２５から出力された情報に示される電力比に基づき、等化部２４から出力された信号の電力レベルを調整する。具体的には、レベル調整部２６は、送信装置１０のレベル調整部１５による第１の放送信号に対するレベル調整を相殺するようにレベル調整を行う。レベル調整部２６は、レベル調整後の信号を、ＩＳＤＢ−Ｔキャリア復調部２７およびＩＳＤＢ−Ｔ除去部３１に出力する。
【００７０】
ＩＳＤＢ−Ｔキャリア復調部２７は、レベル調整部２６から出力された信号に対して、ＩＳＤＢ−Ｔ付加信号復調部２２から出力された情報に示されるキャリア変調方式に対応するキャリア復調を行う。ＩＳＤＢ−Ｔキャリア復調部２７は、キャリア復調後の信号を、ＩＳＤＢ−Ｔ誤り訂正復号部２８およびＩＳＤＢ−Ｔ再変調部２９に出力する。
【００７１】
ＩＳＤＢ−Ｔ誤り訂正復号部２８は、ＩＳＤＢ−Ｔキャリア復調部２７から出力された信号に対して、ＩＳＤＢ−Ｔ付加信号復調部２２から出力された情報に示される誤り訂正符号化方式に対応する誤り訂正復号を行い、ＩＳＤＢ−Ｔコンテンツを取得する。
【００７２】
ＩＳＤＢ−Ｔ再変調部２９は、ＩＳＤＢ−Ｔキャリア復調部２７から出力された信号を、送信装置１０のＩＳＤＢ−Ｔデータキャリア信号生成部１１と同じパラメータにより再変調し、第１の放送信号のレプリカ信号を生成する。ＩＳＤＢ−Ｔ再変調部２９は、生成したレプリカ信号をＩＳＤＢ−Ｔ除去部３１に出力する。
【００７３】
ＩＳＤＢ−Ｔ除去部３１は、レベル調整部２６から出力された信号から、ＩＳＤＢ−Ｔ再変調部２９から出力されたレプリカ信号を除去する。こうすることで、ＩＳＤＢ−Ｔ除去部３１は、第２の放送信号に対応する信号を抽出することができる。ＩＳＤＢ−Ｔ除去部３１は、レプリカ信号の除去後の信号をレベル調整部３２に出力する。
【００７４】
レベル調整部３２は、新規放送付加信号復調部２５から出力された情報に示される電力比に基づき、ＩＳＤＢ−Ｔ除去部３１から出力された信号の電力レベルを調整する。具体的には、レベル調整部３２は、送信装置１０のレベル調整部１５による第２の放送信号に対するレベル調整を相殺するようにレベル調整を行う。レベル調整部３２は、レベル調整後の信号を、新規放送キャリア復調部３３に出力する。
【００７５】
新規放送キャリア復調部３３は、レベル調整部３２から出力された信号に対して、新規放送付加信号復調部２５から出力された情報に示されるキャリア変調方式に対応するキャリア復調を行う。新規放送キャリア復調部３３は、キャリア復調後の信号を、新規放送誤り訂正復号部３４に出力する。
【００７６】
新規放送誤り訂正復号部３４は、新規放送キャリア復調部３３から出力された信号に対して、新規放送付加信号復調部２５から出力された情報に示される誤り訂正符号化方式に対応する誤り訂正復号を行い、新規放送コンテンツを取得する。
【００７７】
図８は、本発明の第１の実施形態に係る受信装置２０の他の構成例を示す図である。図８に示す受信装置２０は、統合復調方式を用いてＬＤＭにより多重された信号を復調するものである。図８において、図７と同様の構成については同じ符号を付し、説明を省略する。
【００７８】
図８に示す受信装置２０は、ＯＦＤＭ復調部２１と、ＩＳＤＢ−Ｔ付加信号復調部２２と、伝搬路推定部２３と、等化部２４と、新規放送付加信号復調部２５と、ＩＳＤＢ−Ｔ誤り訂正復号部２８と、新規放送誤り訂正復号部３４と、参照信号生成部３５と、キャリア復調部３６とを備える。すなわち、図８に示す受信装置２０は、図７に示す受信装置２０と比較して、レベル調整部２６、ＩＳＤＢ−Ｔキャリア復調部２７、ＩＳＤＢ−Ｔ再変調部２９、ＩＳＤＢ−Ｔ除去部３１、レベル調整部３２および新規放送キャリア復調部３３に代えて、参照信号生成部３５およびキャリア復調部３６を備える。
【００７９】
図８に示す受信装置２０においては、ＩＳＤＢ−Ｔ付加信号復調部２２は、第１の放送信号のキャリア変調方式を示す情報を参照信号生成部３５に出力する。新規放送付加信号復調部２５は、第２の放送信号のキャリア変調方式を示す情報、および、第１の放送信号と第２の放送信号との電力比を示す情報を参照信号生成部３５に出力する。
【００８０】
参照信号生成部３５は、第１の放送信号のキャリア変調方式の各信号点と、第２の放送信号のキャリア変調方式の各信号点とを合成した参照信号を生成し、キャリア復調部３６に出力する。すなわち、参照信号生成部３５は、第１の放送信号のキャリア変調方式の各信号点と、第２の放送信号のキャリア変調方式の各信号点とからとり得る全ての信号点を参照信号として生成する。
【００８１】
図９は、参照信号生成部３５の構成例を示す図である。
【００８２】
図９に示す参照信号生成部３５は、信号変調部３５１，３５２と、レベル調整部３５３，３５４と、合成部３５５とを備える。
【００８３】
信号変調部３５１は、第１の放送信号のキャリア変調方式（ＩＳＤＢ−Ｔ方式におけるデータキャリア信号のキャリア変調方式）を示す情報が入力される。信号変調部３５１は、入力された情報に示されるキャリア変調方式で取り得る全ての信号点の信号をレベル調整部３５３に出力する。
【００８４】
信号変調部３５２は、第２の放送信号のキャリア変調方式（次世代方式におけるデータキャリア信号のキャリア変調方式）を示す情報が入力される。信号変調部３５２は、入力された情報に示されるキャリア変調方式で取り得る全ての信号点の信号をレベル調整部３５４に出力する。
【００８５】
レベル調整部３５３は、第１の放送信号と第２の放送信号との電力比を示す情報が入力される。レベル調整部３５３は、入力された情報に示される電力比に基づき、信号変調部３５１から出力された信号の電力レベルを調整する。具体的には、レベル調整部３５３は、送信装置１０のレベル調整部１５による第１の放送信号に対するレベル調整と同様に、信号変調部３５１から出力された信号の電力レベルを調整する。レベル調整部３５３は、レベル調整後の信号を合成部３５５に出力する。
【００８６】
レベル調整部３５４は、第１の放送信号と第２の放送信号との電力比を示す情報が入力される。レベル調整部３５４は、入力された情報に示される電力比に基づき、信号変調部３５２から出力された信号の電力レベルを調整する。具体的には、レベル調整部３５４は、送信装置１０のレベル調整部１５による第２の放送信号に対するレベル調整と同様に、信号変調部３５２から出力された信号の電力レベルを調整する。レベル調整部３５４は、レベル調整後の信号を合成部３５５に出力する。
【００８７】
合成部３５５は、レベル調整部３５３から出力された各信号に、レベル調整部３５４から出力された全信号を重畳させて合成し、参照信号としてキャリア復調部３６に出力する。
【００８８】
図８を再び参照すると、キャリア復調部３６は、等化部２４による等化処理後の受信信号に対して、参照信号生成部３５から出力された参照信号を用いてキャリア復調を行う。図１０は、キャリア復調部３６の構成例を示す図である。
【００８９】
図１０に示すキャリア復調部３６は、尤度生成部３６１と、尤度分離部３６２とを備える。
【００９０】
尤度生成部３６１は、参照信号生成部３５から出力された参照信号に基づき、全ての参照点（とり得る全ての信号点）から受信信号の信号点までのユークリッド距離を算出し、算出したユークリッド距離に基づき、全ての参照点について尤度を算出する。
【００９１】
尤度分離部３６２は、尤度生成部３６１により算出された尤度が最も高い参照点から、ＩＳＤＢ−Ｔ方式のデータ信号に対応するビットと次世代方式のデータ信号に対応するビットとを分離する。そして、尤度分離部３６２は、ＩＳＤＢ−Ｔ方式のデータ信号に対応するビットをＩＳＤＢ−Ｔ誤り訂正復号部２８に出力し、次世代方式のデータ信号に対応するビットを新規放送誤り訂正復号部３４に出力する。
【００９２】
このように本実施形態においては、送信装置１０は、ＩＳＤＢ−Ｔ方式（第１の方式）により送信されるデータ信号から、第１の周波数帯域の信号である第１の放送信号を生成するＩＳＤＢ−Ｔデータキャリア信号生成部１１（第１の信号生成部）と、次世代方式（第２の方式）により送信されるデータから、第２の周波数帯域の信号である第２の放送信号を生成する新規放送データキャリア信号生成部１２（第２の信号生成部）とを備える。また、送信装置１０は、第２の放送信号の電力レベルが、第１の放送信号の電力レベルよりも低くなるように、第１の放送信号および第２の放送信号の電力レベルを調整するレベル調整部１５と、電力レベルの調整後の第１の放送信号と第２の放送信号とを合成する合成部１６とを備える。そして、送信装置１０は、合成後の信号からＯＦＤＭフレームを構成し、ＯＦＤＭフレームをＯＦＤＭ変調して送信する。ここで、第２の周波数帯域は、第１の周波数帯域に対応する帯域と、その帯域の両側に隣接する調整帯域とを含む。
【００９３】
現行放送の伝送帯域およびデータ構造などを変更することなく、調整帯域を次世代方式のデータ信号の送信に用いるので、現行放送への影響を抑制しつつ、伝送容量の拡大を図ることができる。
【００９４】
（第２の実施形態）
第１の実施形態においては、各セグメントにおける第１の放送信号の電力レベルは一定であり、各セグメントおよび調整帯域における第２の放送信号の電力レベルは一定である例を用いて説明したが、本発明はこれに限られるものではない。すなわち、セグメント毎に、第１の放送信号と第２の放送信号との電力レベルが異なる、また、調整帯域と、第１の周波数帯域とで、第２の放送信号の電力レベルが異なるといった電力レベルの調整が行われてもよい。以下では、このような電力レベルの調整が行われる送信装置およびその送信装置から送信された信号を受信する受信装置について説明する。
【００９５】
図１１は、本発明の第２の実施形態に係る送信装置１０Ａの構成例を示す図である。
【００９６】
図１１に示す送信装置１０Ａは、図１に示す送信装置１０と比較して、新規放送付加信号生成部１４およびレベル調整部１５をそれぞれ、新規放送付加信号生成部１４Ａおよびレベル調整部１５Ａに変更した点が異なる。
【００９７】
新規放送付加信号生成部１４Ａは、第１の実施形態における新規放送付加信号生成部１４と同様に、次世代放送におけるパイロット信号、ＴＭＣＣ信号（制御信号）およびＡＣ信号などの付加信号を生成し、ＯＦＤＭフレーム構成部１７に出力する。ここで、本実施形態においては、新規放送付加信号生成部１４Ａは、制御信号として、セグメントごとの第１の放送信号と第２の放送信号との電力比を示す情報（以下、「セグメント毎の電力情報」と称する）を生成し、レベル調整部１５Ａに出力する。また、新規放送付加信号生成部１４Ａは、制御信号として、調整帯域における第２の放送信号の電力レベルを示す情報（以下、「調整帯域電力情報」と称する。）を生成し、レベル調整部１５Ａに出力してもよい。
【００９８】
レベル調整部１５Ａは、セグメント毎に、第１の放送信号と第２の放送信号との電力レベルを調整可能である。具体的には、レベル調整部１５Ａは、新規放送付加信号生成部１４Ａから出力されたセグメント毎の電力情報および／または調整帯域電力情報に基づき、第１の放送信号および第２の放送信号の電力レベルを調整する。
【００９９】
図１２は、レベル調整部１５Ａによる電力レベルの調整後の第２の放送信号の一例を示す図である。
【０１００】
図１２に示すように、レベル調整部１５Ａは、セグメント毎の電力情報に基づき、例えば、移動受信用セグメントにおける第２の放送信号の電力レベルを、固定受信用セグメントにおける第２の放送信号電力レベルよりも大きくする。また、レベル調整部１５Ａは、調整帯域電力情報に基づき、調整帯域における第２の放送信号の電力レベルを、第１の周波数帯域における第２の放送信号の電力レベルよりも大きくする。
【０１０１】
なお、レベル調整部１５Ａは、第１の放送信号については、第１の実施形態と同様に、セグメント毎の電力レベルを一定にする。したがって、レベル調整部１５Ａによる電力レベルの調整後の第１の放送信号と第２の放送信号とが合成部１６により合成された信号は、図１３に示すように、セグメント毎に（図１３の例では、移動受信用セグメントと固定受信用セグメントとで）、第１の放送信号と第２の放送信号との電力比が異なる。
【０１０２】
一般に、移動受信端末向けの放送は、固定受信端末向けの放送と比較して、所要Ｃ／Ｎが小さい。すなわち、移動受信用セグメントにおける所要Ｃ／Ｎは、固定受信用セグメントにおける所要Ｃ／Ｎよりも小さい。したがって、移動受信用セグメントにおける第２の放送信号の電力レベルを、固定受信用セグメントにおける第２の放送信号における電力レベルよりも大きくすることができる。すなわち、移動受信用セグメントにおける第１の放送信号に対する第２の放送信号の電力比を、固定受信用セグメントにおける第１の放送信号に対する第２の放送信号の電力比よりも大きくすることができる。
【０１０３】
また、調整帯域には、ＩＳＤＢ−Ｔ方式における信号は多重されない。そのため、次世代方式における信号の電力を大きくしても、現行放送への影響を抑制することができる。
【０１０４】
本実施形態に係る受信装置の構成は、第１の実施形態に係る受信装置２０（図７に示す受信装置２０あるいは図８に示す受信装置２０）と同様であるため、説明を省略する。ただし、本実施形態においては、新規放送付加信号復調部２５は、次世代方式におけるＴＭＣＣ信号（制御信号）に含まれるセグメント毎の電力情報および／または調整帯域電力情報を取得し、レベル調整部２６およびレベル調整部３２に出力する。
【０１０５】
上述したように、第１の実施形態においては、調整帯域における第２の放送信号の電力レベルと、第１の周波数帯域における第１の放送信号の電力レベルとから、第１の周波数帯域における第１の放送信号と第２の放送信号との電力比を推定することが可能であった。そのため、第１の実施形態においては、新規放送付加信号復調部２５は必ずしも、第１の放送信号と第２の放送信号との電力比を示す情報をＴＭＣＣ信号から取得する必要はなかった。
【０１０６】
一方、本実施形態においては、セグメント毎の第１の放送信号と第２の放送信号との電力比、および／または、調整帯域における第２の放送信号と第１の周波数帯域における第２の放送信号との電力レベルが異なる。そのため、受信信号から第１の放送信号と第２の放送信号との電力比を推定することは困難である。そこで、本実施形態においては、新規放送付加信号復調部２５は、次世代方式におけるＴＭＣＣ信号（制御信号）に含まれるセグメント毎の電力情報および／または調整帯域電力情報を取得する。
【０１０７】
このように本実施形態においては、レベル調整部１５Ａは、セグメント毎に、第１の放送信号と第２の放送信号との電力レベルを調整可能である。
【０１０８】
そのため、例えば、現行放送における所要Ｃ／Ｎが低いセグメントについては、第２の放送信号の電力レベルを上げることで、次世代放送の伝送容量の拡大を図ることができる。また、次世代放送の信号の平均電力が増加するため、次世代放送の放送エリアの拡大を図ることができる。また、次世代放送の信号の平均電力が変化しないようにセグメント毎あるいは調整帯域における第２の放送信号のレベルを調整する場合、次世代放送の信号の固定受信用セグメントにおける第２の放送信号の電力レベルを下げることができるので、現行放送の伝送特性の劣化を抑制することができる。
【０１０９】
なお、本実施形態では、送信装置１０，１０Ａおよび受信装置２０の構成および動作について説明したが、本発明はこれに限られず、第１の方式の信号と、第２の方式の信号とを多重して送信する送信方法、第１の方式の信号と、第２の方式の信号とを多重して送信された信号を受信する受信方法として構成されてもよい。
【０１１０】
また、実施形態では特に触れていないが、送信装置１０，１０Ａおよび受信装置２０が行う各処理をコンピュータに実行させるプログラムが提供されてもよい。また、プログラムは、コンピュータ読取り可能媒体に記録されていてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭ、ＤＶＤ−ＲＯＭなどの記録媒体であってもよい。
【０１１１】
あるいは、送信装置１０，１０Ａおよび受信装置２０が行う各処理を実行するためのプログラムを記憶するメモリ、および、メモリに記憶されたプログラムを実行するプロセッサによって構成され、送信装置１０，１０Ａおよび受信装置２０に搭載されるチップが提供されてもよい。
【０１１２】
上述の実施形態は代表的な例として説明したが、本発明の趣旨および範囲内で、多くの変更および置換が可能であることは当業者に明らかである。したがって、本発明は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【０１１３】
１０，１０Ａ        送信装置
１１                ＩＳＤＢ−Ｔデータキャリア信号生成部（第１の信号生成部）
１２                新規放送データキャリア信号生成部（第２の信号生成部）
１３                ＩＳＤＢ−Ｔ付加信号生成部
１４，１４Ａ        新規放送付加信号生成部（第３の信号生成部）
１５，１５Ａ        レベル調整部
１６                合成部
１７                ＯＦＤＭフレーム構成部
１８                ＯＦＤＭ変調部
１１１ａ，１１１ｂ  誤り訂正符号化部
１１２ａ，１１２ｂ  キャリア変調部
１１３              帯域合成インターリーブ部
１３１              ＴＭＣＣ情報ビット生成部
１３２              同期ビット生成部
１３３              ＴＭＣＣ信号生成部
１３４              ＡＣ信号生成部
１３５              パイロット信号生成部
２０                受信装置
２１                ＯＦＤＭ復調部
２２                ＩＳＤＢ−Ｔ付加信号復調部
２３                伝搬路推定部
２４                等化部
２５                新規放送付加信号復調部
２６                レベル調整部
２７                ＩＳＤＢ−Ｔキャリア復調部
２８                ＩＳＤＢ−Ｔ誤り訂正復号部
２９                ＩＳＤＢ−Ｔ再変調部
３１                ＩＳＤＢ−Ｔ除去部
３２                レベル調整部
３３                新規放送キャリア復調部
３４                誤り訂正復号部
３５                参照信号生成部
３６                キャリア復調部
３５１，３５２      信号変調部
３５３，３５４      レベル調整部
３５５              合成部
３６１              尤度生成部
３６２              尤度分離部
【図１】
2020167677.tif 000003
【図２】
2020167677.tif 000004
【図３】
2020167677.tif 000005
【図４】
2020167677.tif 000006
【図５】
2020167677.tif 000007
【図６】
2020167677.tif 000008
【図７】
2020167677.tif 000009
【図８】
2020167677.tif 000010
【図９】
2020167677.tif 000011
【図１０】
2020167677.tif 000012
【図１１】
2020167677.tif 000013
【図１２】
2020167677.tif 000014
【図１３】
2020167677.tif 000015